(57)【要約】  端末装置と、前記端末装置に無線リソースを割り当て、前記割り当てた無線リソースで前記端末装置と無線通信する基地局装置であって、無線通信の通信状態に応じて、前記端末装置にデータを再送する再送パターンを決定する決定部と、前記決定した再送パターンに関する再送パターン情報を含む、無線リソースの割り当て制御用の制御信号と、前記端末装置に送信するデータを含むデータ送信用のデータ信号とを、前記端末装置に送信する初回送信処理と、前記決定した再送パターンに従い、前記端末装置に送信するデータを含む前記データ信号を再送する再送処理とを行う送信部とを有する。
2019159274.tif 000002
【特許請求の範囲】
【請求項１】
端末装置と、前記端末装置に無線リソースを割り当て、前記割り当てた無線リソースで前記端末装置と無線通信する基地局装置であって、
無線通信の通信状態に応じて、前記端末装置にデータを再送する再送パターンを決定する決定部と、
前記決定した再送パターンに関する再送パターン情報を含む、無線リソースの割り当て制御用の制御信号と、前記端末装置に送信するデータを含むデータ送信用のデータ信号とを、前記端末装置に送信する初回送信処理と、前記決定した再送パターンに従い、前記端末装置に送信するデータを含む前記データ信号を再送する再送処理とを行う送信部とを有する
基地局装置。
【請求項２】
前記再送パターン情報は、前記再送する回数、及び前記再送する前記データ信号に使用する無線リソースに関する無線リソース情報を含む
請求項１記載の基地局装置。
【請求項３】
前記無線通信の通信状態は、前記端末装置が前記基地局装置から受信する信号に干渉が発生する度合いを示す干渉率を含み、
前記決定部は、前記干渉率が第１閾値以上のとき、前記再送する回数を第１回数と決定し、前記干渉率が前記第１閾値より大きい第２閾値以上のとき、前記再送する回数を前記第１回数より大きい第２回数と決定する
請求項２記載の基地局装置。
【請求項４】
前記無線リソース情報は、信号を送信する時間及び周波数帯域の両方、または少なくとも一方を有する
請求項２記載の基地局装置。
【請求項５】
前記再送パターンは、前記初回送信処理において送信した前記データ信号と異なる周波数帯域を使用する前記データ信号で、再送を行う再送パターンを含む
請求項４記載の基地局装置。
【請求項６】
前記再送パターンは、前記初回送信処理において送信した前記データ信号と異なる時間で送信する前記データ信号で、再送を行う再送パターンを含む
請求項４記載の基地局装置。
【請求項７】
前記再送パターンは、前記初回送信処理において送信した前記データ信号と、異なる周波数帯域及び時間で送信する前記データ信号で、再送を行う再送パターンを含む
請求項４記載の基地局装置。
【請求項８】
前記無線通信の通信状態は、前記データを送信する端末装置以外の他端末装置に割り当てた無線リソースに関する他端末情報を含み、
前記決定部は、前記他端末情報に基づき、前記他端末装置に割り当てた無線リソースを使用しない再送パターンを、前記端末装置にデータを再送する再送パターンと決定する
請求項２記載の基地局装置。
【請求項９】
前記決定部は、前記他端末装置に割り当てた無線リソースを使用しない再送パターンのうち、前記再送が最も早期に終了する再送パターンを、前記端末装置にデータを再送する再送パターンと決定する
請求項８記載の基地局装置。
【請求項１０】
前記決定部は、前記他端末装置に割り当てた無線リソースを使用しない再送パターンのうち、前記端末装置に送信するデータを前記端末装置が受信するまでに許容される遅延時間を満たす再送パターンを、前記端末装置にデータを再送する再送パターンと決定する
請求項８記載の基地局装置。
【請求項１１】
前記制御信号は、ＰＤＣＣＨ（Physical Downlink Control Channel）であり、
前記データ信号は、ＰＤＳＣＨ（Physical Downlink Shared Channel）である、
請求項１記載の基地局装置。
【請求項１２】
基地局装置が割り当てた無線リソースを使用し、前記基地局装置と無線通信する端末装置であって、
前記基地局装置が無線通信の通信状態に応じて決定した、前記端末装置にデータを再送する再送パターンに関する再送パターン情報を含む信号であって、無線リソースの割り当て制御用の制御信号を受信し、前記受信した制御信号から前記再送パターンを取得する取得部と、
前記取得した再送パターンに従い、前記基地局装置が初回送信するデータ、及び再送するデータを受信する受信部とを有する
端末装置。
【請求項１３】
端末装置と、前記端末装置に無線リソースを割り当て、前記割り当てた無線リソースで前記端末装置と無線通信する基地局装置とを有する無線通信システムであって、
前記基地局装置は、無線通信の通信状態に応じて、前記端末装置にデータを再送する再送パターンを決定し、前記決定した再送パターンに関する再送パターン情報を含む、無線リソースの割り当て制御用の制御信号と、前記端末装置に送信するデータを含むデータ送信用のデータ信号とを送信し、
前記端末装置は、前記制御信号及び前記データ信号を受信し、前記制御信号に含まれる前記再送パターン情報を取得し、
前記基地局装置は、前記決定した再送パターンに従い、前記端末装置に送信するデータを含む前記データ信号を再送し、
前記端末装置は、前記決定した再送パターンに従い、前記基地局装置が再送する前記データ信号を受信する
無線通信システム。
【請求項１４】
端末装置と、前記端末装置に無線リソースを割り当て、前記割り当てた無線リソースで前記端末装置と無線通信する基地局装置における無線通信方法であって、
無線通信の通信状態に応じて、前記端末装置にデータを再送する再送パターンを決定し、
前記決定した再送パターンに関する再送パターン情報を含む、無線リソースの割り当て制御用の制御信号と、前記端末装置に送信するデータを含むデータ送信用のデータ信号とを、前記端末装置に送信し、
前記決定した再送パターンに従い、前記端末装置に送信するデータを含む前記データ信号を再送する
無線通信方法。
【発明の詳細な説明】
【技術分野】
【０００１】
本発明は、基地局装置、端末装置、無線通信システム、及び無線通信方法に関する。
【背景技術】
【０００２】
現在のネットワークは、リソースの大半を、モバイル端末（例えば、スマートフォンやフューチャーホン）のトラフィックを占めている。また、モバイル端末が使用するトラフィックは、拡大傾向にある。【０００３】
一方、ネットワークは、ＩｏＴ（Internet of a things）サービス（例えば、交通システム、スマートメータ、装置等の監視システム）の展開にあわせて、多様な要求条件を持つサービスに対応することが求められている。そのため、第５世代移動体通信（５Ｇまたは、ＮＲ（Ｎｅｗ  Ｒａｄｉｏ））の通信規格では、４Ｇ（第４世代移動体通信）の標準技術に加えて、さらなる高データレート化、大容量化、低遅延化を実現する技術が求められている。【０００４】
上述したように、多種多様なサービスに対応するために、５Ｇでは、例えば、ｅＭＢＢ（Enhanced Mobile BroadBand）、Ｍａｓｓｉｖｅ  ＭＴＣ（Machine Type Communications)、およびＵＲＬＬＣ（Ultra−Reliable and Low Latency Communication）に分類される多くのユースケースのサポートを想定している。【０００５】
ユースケースの一つであるＵＲＬＬＣは、実現が困難である。ＵＲＬＬＣは、高信頼性が要求され、例えば、従来よりも低い無線部エラーレートが求められる。超高信頼性を実現する１つの方法として、使用リソース量を増やしてデータに冗長性を持たせる方法がある。しかし、無線リソースは限りがあり、無制限に増やすことはできない。【０００６】
また、ＵＲＬＬＣでは、低遅延に関しても、上り回線および下り回線におけるユーザプレーンの無線部遅延を、例えば、４Ｇにおけるネットワークよりも低い値とすることが求められる。【０００７】
ＵＲＬＬＣは、上述したように、超高信頼性と低遅延の２つの要求を、同時に満たさなければならない。【０００８】
ＵＲＬＬＣに関する技術は  以下の文献に記載されている。
【先行技術文献】
【非特許文献】
【０００９】
【非特許文献１】3GPP TS 36.211  V15.0.0 （2017-12）
【非特許文献２】3GPP TS 36.212  V15.0.1 （2018-01）
【非特許文献３】3GPP TS 36.213  V15.0.0 （2017-12）
【非特許文献４】3GPP TS 36.300  V15.0.0 （2017-12）
【非特許文献５】3GPP TS 36.321  V15.0.0 （2017-12）
【非特許文献６】3GPP TS 36.322  V15.0.0 （2017-12）
【非特許文献７】3GPP TS 36.323  V14.5.0 （2017-12）
【非特許文献８】3GPP TS 36.331  V15.0.1 （2018-01）
【非特許文献９】3GPP TS 36.413  V15.0.0 （2017-12）
【非特許文献１０】3GPP TS 36.423  V15.0.0 （2017-12）
【非特許文献１１】3GPP TS 36.425  V14.0.0 （2017-03）
【非特許文献１２】3GPP TS 37.340  V15.0.0 （2017-12）
【非特許文献１３】3GPP TS 38.201  V15.0.0 （2017-12）
【非特許文献１４】3GPP TS 38.202  V15.0.0 （2017-12）
【非特許文献１５】3GPP TS 38.211  V15.0.0 （2017-12）
【非特許文献１６】3GPP TS 38.212  V15.0.0 （2017-12）
【非特許文献１７】3GPP TS 38.213  V15.0.0 （2017-12）
【非特許文献１８】3GPP TS 38.214  V15.0.0 （2017-12）
【非特許文献１９】3GPP TS 38.215  V15.0.0 （2017-12）
【非特許文献２０】3GPP TS 38.300  V15.0.0 （2017-12）
【非特許文献２１】3GPP TS 38.321  V15.0.0 （2017-12）
【非特許文献２２】3GPP TS 38.322  V15.0.0 （2017-12）
【非特許文献２３】3GPP TS 38.323  V15.0.0 （2017-12）
【非特許文献２４】3GPP TS 38.331  V15.0.0 （2017-12）
【非特許文献２５】3GPP TS 38.401  V15.0.0 （2017-12）
【非特許文献２６】3GPP TS 38.410  V 0.6.0 (2017-12）
【非特許文献２７】3GPP TS 38.413  V0.5.0（2017-12）
【非特許文献２８】3GPP TS 38.420  V0.5.0（2017-12）
【非特許文献２９】3GPP TS 38.423  V0.5.0（2017-12）
【非特許文献３０】3GPP TS 38.470  V15.0.0 (2018-01)
【非特許文献３１】3GPP TS 38.473  V15.0.0 (2017-12)
【非特許文献３２】3GPP TR 38.801  V14.0.0（2017-04）
【非特許文献３３】3GPP TR 38.802  V14.2.0（2017-09）
【非特許文献３４】3GPP TR 38.803  V14.2.0（2017-09）
【非特許文献３５】3GPP TR 38.804  V14.0.0 （2017-03）
【非特許文献３６】3GPP TR 38.900  V14.3.1 （2017-07）
【非特許文献３７】3GPP TR 38.912  V14.1.0 （2017-06）
【非特許文献３８】3GPP TR 38.913  V14.3.0 （2017-06）
【発明の概要】
【発明が解決しようとする課題】
【００１０】
しかし、例えば、無線環境が劣悪な状況では、基地局装置から端末装置に送信したデータが所定品質で到達しない場合がある。この場合、データの再送が発生するなど、低遅延が満たされない。また、例えば、データを送信した基地局装置が、データの到達を確認するＡＣＫ（Acknowledgement）や、データがエラーなく到達しなかったことを示すＮＡＣＫ（Negative Acknowledgement）を待って、データの再送を行うと、さらに、データが端末装置への到達が遅延し、低遅延が実現できない場合がある。【００１１】
そこで、一つの側面では、データ送信の遅延を抑制する基地局装置、端末装置、無線通信システム、及び無線通信方法を提供することを目的とする。
【課題を解決するための手段】
【００１２】
１つの側面では、端末装置と、前記端末装置に無線リソースを割り当て、前記割り当てた無線リソースで前記端末装置と無線通信する基地局装置であって、無線通信の通信状態に応じて、前記端末装置にデータを再送する再送パターンを決定する決定部と、前記決定した再送パターンに関する再送パターン情報を含む、無線リソースの割り当て制御用の制御信号と、前記端末装置に送信するデータを含むデータ送信用のデータ信号とを、前記端末装置に送信する初回送信処理と、前記決定した再送パターンに従い、前記端末装置に送信するデータを含む前記データ信号を再送する再送処理とを行う送信部とを有する。
【発明の効果】
【００１３】
一側面では、データ送信の遅延を抑制することができる。
【図面の簡単な説明】
【００１４】
【図１】図１は、無線通信システム１０の構成例を示す図である。
【図２】図２は、基地局装置２００の構成例を示す図である。
【図３】図３は、端末装置１００の構成例を示す図である。
【図４】図４は、単純再送方式における、基地局装置２００のデータ再送の例を示す図である。
【図５】図５は、単純再送方式における、端末装置１００−１に対するデータ再送の例を示す図である。
【図６】図６は、新再送方式におけるデータ再送処理のシーケンスの例を示す図である。
【図７】図７は、再送パターン決定処理Ｓ１０１の処理フローチャートの例を示す図である。
【図８】図８は、再送パターンテーブルの例を示す図である。
【図９】図９は、送信タイミングと周波数帯域を変更して再送する再送パターンの例を示す図である。
【図１０】図１０は、同一送信タイミングに周波数帯域を変更して再送する再送パターンの例を示す図である。
【図１１】図１１は、その他の再送パターンの例を示す図である。
【図１２】図１２は、新再送方式におけるデータ再送処理のシーケンスの例を示す図である。
【図１３】図１３は、再送パターン制御処理Ｓ２０３の処理フローチャートの例を示す図である。
【図１４】図１４は、新再送方式における、上り方向のデータ再送処理のシーケンスの例を示す図である。
【発明を実施するための形態】
【００１５】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。そして、各実施の形態は、処理内容を矛盾させない範囲で適宜組み合わせることが可能である。
【００１６】
また、本明細書で使用している用語や記載した技術的内容は、３ＧＰＰなど通信に関する規格として仕様書や寄書に記載された用語や技術的内容が適宜用いられてもよい。このような仕様書としては、例えば、３ＧＰＰ  ＴＳ  ３８．３００  Ｖ１５．０．０（２０１７−１２）がある。
【００１７】
以下に、本願の開示する基地局装置、端末装置、無線通信システム、および無線通信方法の実施例を、図面に基づいて詳細に説明する。なお、以下の実施例は開示の技術を限定するものではない。
【００１８】
［第１の実施の形態］
第１の実施の形態においては、基地局装置は、無線通信の通信状態に応じて、端末装置にデータを再送する再送パターンを決定する。そして、基地局装置は、決定した再送パターンに関する再送パターン情報を含む、無線リソースの割り当て制御用の制御信号と、端末装置に送信するデータを含むデータ送信用のデータ信号とを、端末装置に送信する。さらに、基地局装置は、決定した再送パターンに従い、端末装置に送信するデータを含むデータ信号を再送する。
【００１９】
＜無線通信システムの構成例＞
図１は、無線通信システム１０の構成例を示す図である。無線通信システム１０は、端末装置１００−１，２、基地局装置２００を有する。無線通信システム１０は、例えば、４Ｇまたは５Ｇなどの通信規格に準拠した無線通信システムである。
【００２０】
端末装置１００−１，２（以降、端末装置１００と呼ぶ場合がある）は、例えば、スマートフォンやタブレット端末などの移動体通信端末である。端末装置１００は、例えば、基地局装置２００と無線接続し、基地局装置２００を介して外部ネットワークや他の通信装置と通信を行う。なお、無線通信システム１０において、端末装置１００は、３台以上であってもよい。
【００２１】
基地局装置２００は、端末装置１００と無線接続し、端末装置１００と無線通信を行う。また、基地局装置２００は、端末装置１００が他の通信装置と行う通信を中継する。基地局装置２００は、基地局装置２００は、例えば、ＬＴＥに準拠した通信システムにおけるｅＮｏｄｅＢや、５Ｇの通信規格におけるｇＮｏｄｅＢである。なお、無線通信システム１０において、基地局装置２００は、複数台であってもよい。
【００２２】
基地局装置２００は、例えば、端末装置１００−１へ送信するデータを受信すると、端末装置１００−１に対して無線リソースを割り当て、割り当てた無線リソースを使用して端末装置１００−１にデータを送信する。
【００２３】
基地局装置２００は、データ送信用の信号（データ送信用信号）、例えば、ＰＤＳＣＨ（Physical Downlink Shared Channel）を用いて、下り（基地局装置２００から端末装置１００へ）データを送信する。また、基地局装置２００は、下り制御情報（ＤＣＩ：Ｄｏｗｎｌｉｎｋ  Ｃｏｎｔｒｏａｌ  Ｉｎｆｏｒｍａｔｉｎｏ）を、無線通信の制御情報を送信する制御用信号、例えば、ＰＤＣＣＨ（Physical Downlink Control Channel）を用いて、端末装置１００に送信する。下り制御情報は、例えば、使用するＰＤＳＣＨの周波数帯域や送信タイミング（送信開始時間、送信時間）などに関する情報が含まれる。
【００２４】
端末装置１００は、上述したＰＤＣＣＨを受信することで、下りデータが送信されるＰＤＳＣＨの周波数帯域や送信タイミングを認識し、当該周波数帯域を当該送信タイミングで待ち受け、受信することで、下りデータを受信することができる。
【００２５】
また、第１の実施の形態における無線通信システム１０では、例えば、無線通信の状態に応じて、データを再送する。基地局装置２００は、再送データの周波数帯域や送信タイミングに関する再送データ情報を、例えば、ＰＤＣＣＨを使用して送信する。端末装置１００は、ＰＤＣＣＨを受信し、再送データの送信タイミングや周波数帯域を認識することで、再送データを受信することができる。
【００２６】
＜基地局装置の構成例＞
図２は、基地局装置２００の構成例を示す図である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。
【００２７】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、無線通信制御プログラム２２１及び再送パターンテーブル２２２を有する。
【００２８】
再送パターンテーブル２２２は、再送パターンに関する情報を記憶するテーブルであり、詳細は後述する。なお、基地局装置２００は、再送パターンテーブル２２２に記憶する情報を、プログラムの一部として記憶してもよい。
【００２９】
メモリ２３０は、ストレージ２２０に記憶されているプログラムをロードする領域である。また、メモリ２３０、プログラムがデータを記憶する領域としても使用される。
【００３０】
ＮＩＣ２４０は、例えば、外部ネットワークと接続する、ネットワークインターフェースである。基地局装置２００は、ＮＩＣ２４０介して、他の通信装置や外部ネットワークとパケットの送受信を行うことで、端末装置１００の通信を中継する。
【００３１】
ＲＦ回路２５０は、端末装置１００と無線通信（無線接続）する装置である。ＲＦ回路２５０は、例えばアンテナ２５１を有し、端末装置１００が送信する信号を受信したり、端末装置１００に信号を送信したりする。
【００３２】
ＣＰＵ２１０は、ストレージ２２０に記憶されているプログラムを、メモリ２３０にロードし、ロードしたプログラムを実行し、各処理を実現するプロセッサである。
【００３３】
ＣＰＵ２１０は、無線通信制御プログラム２２１を実行することで、決定部及び送信部を構築し、無線通信制御処理を行う。無線通信制御処理は、基地局装置２００と端末装置１００との無線通信を制御する処理である。
【００３４】
また、ＣＰＵ２１０は、無線通信制御プログラム２２１が有する無線リソース管理モジュール２２１１を実行することで、無線リソース管理処理を行う。無線リソース管理処理は、複数の端末装置１００それぞれに対して、無線通信に使用する無線リソースを割り当て、割り当て無線リソースを管理する処理である。
【００３５】
また、ＣＰＵ２１０は、無線通信制御プログラム２２１が有する再送パターン決定モジュール２２１２を実行することで、決定部を構築し、再送パターン決定処理を行う。再送パターン決定処理は、例えば、無線通信の通信状態や、他の端末装置１００に対する無線リソースの割り当て状況に応じて、再送パターンを決定する処理である。
【００３６】
また、ＣＰＵ２１０は、無線通信制御プログラム２２１が有するデータ送信モジュール２２１３を実行することで、送信部を構築し、データ送信処理を行う。データ送信処理は、端末装置１００に、無線を介してデータを送信する処理である。基地局装置２００は、データ送信処理において、再送パターン決定処理で決定した再送パターンに従って、データの再送を行う。
【００３７】
＜端末装置の構成例＞
図３は、端末装置１００の構成例を示す図である。端末装置１００は、ＣＰＵ１１０、ストレージ１２０、ＤＲＡＭなどのメモリ１３０、及びＲＦ回路１５０を有する。
【００３８】
ストレージ１２０は、プログラムやデータを記憶する、フラッシュメモリ、ＨＤＤ、又はＳＳＤなどの補助記憶装置である。ストレージ１２０は、無線通信プログラム１２１及び再送パターンテーブル２２２を有する。
【００３９】
メモリ１３０は、ストレージ１２０に記憶されているプログラムをロードする領域である。また、メモリ１３０、プログラムがデータを記憶する領域としても使用される。
【００４０】
ＲＦ回路１５０は、基地局装置２００と無線通信する装置である。ＲＦ回路１５０は、例えばアンテナ１５１を有し、基地局装置２００が送信する信号を受信したり、基地局装置２００に信号を送信したりする。
【００４１】
ＣＰＵ１１０は、ストレージ１２０に記憶されているプログラムを、メモリ１３０にロードし、ロードしたプログラムを実行し、各処理を実現するプロセッサである。
【００４２】
ＣＰＵ１１０は、無線通信プログラム１２１を実行することで、取得部及び受信部を構築し、無線通信処理を行う。無線通信処理は、基地局装置２００と無線を介して通信を行う処理である。
【００４３】
また、ＣＰＵ１１０は、無線通信プログラム１２１が有する再送パターン取得モジュール１２１１を実行することで、取得部を構築し、再送パターン取得処理を行う。再送パターン取得処理は、基地局装置２００から再送パターンを取得する処理である。
【００４４】
また、ＣＰＵ１１０は、無線通信プログラム１２１が有するデータ受信モジュール１２１２を実行することで、受信部を構築し、データ受信処理を行う。データ受信処理は、基地局装置２００が送信する信号を受信する処理である。端末装置１００は、データ受信処理において、再送パターン取得処理で取得した再送パターンに従い、再送されたデータを受信する。
【００４５】
＜データ送信処理＞
図４は、単純再送方式における、基地局装置２００のデータ再送の例を示す図である。単純再送方式は、例えば、１回目にデータを送信する信号、及びデータを再送する信号の全てに、制御信号（例えばＰＤＣＣＨ）を付与する方式である。
【００４６】
基地局装置２００は、所定の周波数帯域及び所定時間の無線リソースを有する。基地局装置２００は、無線リソースの一部を、データ送信に使用する。図４においては、基地局装置２００は、斜線で示すＰＤＣＣＨと送信するデータを含むＰＤＳＣＨとを有する信号ＳＧ１を、端末装置１００に送信する。そして、基地局装置２００は、例えば否定応答（ＮＡＣＫ）を受信したとき、または所定時間内に肯定応答（ＡＣＫ）を受信しないとき、信号ＳＧ１と同様のデータを含む信号ＳＧ２を再送する。信号ＳＧ２は、信号ＳＧ１で送信したデータと同一のデータを含むＰＤＳＣＨと、再送するＰＤＳＣＨに関する情報を含むＰＤＣＣＨを有する。
【００４７】
図５は、単純再送方式における、端末装置１００−１に対するデータ再送の例を示す図である。基地局装置２００は、図４と同様に、信号ＳＧ２でデータの再送を行う。しかし、例えば、図５に点線で示す信号ＳＧ３の無線リソースを、端末装置１００−２に割り当てている場合、信号ＳＧ２と信号ＳＧ３の無線リソースの一部が重複するため、干渉が発生し、信号ＳＧ２を端末装置１００−１にエラーなく送信することができない。基地局装置２００は、上述した干渉が発生しないように、信号ＳＧ２の無線リソースを、他の端末装置１００に割り当てることができない。これにより、単純再送方式においては、無線リソースを効率的に使用することができない場合がある。
【００４８】
そこで、第１の実施の形態においては、基地局装置２００は、データの再送においては制御情報を送信しない再送方式（以降、新再送方式と呼ぶ場合がある）で、データ再送を行う。
【００４９】
＜新再送方式におけるデータ再送処理＞
図６は、新再送方式におけるデータ再送処理のシーケンスの例を示す図である。端末装置１００−１は、例えば、定期的に、あるいは基地局装置２００の要求に応じて、端末装置１００−１と基地局装置２００間の無線通信における伝搬路を測定し、測定結果を含む伝搬路測定結果報告を基地局装置２００に送信する（Ｓ１００）。
【００５０】
端末装置１００は、伝搬路の測定において、例えば、伝搬路の電波状態を示す、基地局装置２００から送信される信号の受信電力や干渉電力を測定する。そして、端末装置１００は、測定した受信電力及び干渉電力を、伝搬路測定結果報告に含め、基地局装置２００に送信する。なお、端末装置１００は、受信電力及び干渉電力から、ＳＩＮＲ（signal-to-interference-plus-noise ratio）を算出し、算出したＳＩＮＲ（干渉率）を、伝搬路測定結果報告に含めてもよい。
【００５１】
基地局装置２００は、伝搬路測定結果報告を受信すると、再送パターン決定処理を行う（Ｓ１０１）。
【００５２】
図７は、再送パターン決定処理Ｓ１０１の処理フローチャートの例を示す図である。基地局装置２００は、伝搬路測定結果に応じて、再送回数を決定する（Ｓ１０１−１）。基地局装置２００は、例えば、ＳＩＮＲの数値に応じて、電波の良好度を５段階（段階１が最も電波が良好であり、段階５が最も電波が劣悪であるとする）に分類する。そして、基地局装置２００は、例えば、最も電波状態が良好な段階１の場合は再送回数を０回とし、以下、段階２の場合は再送回数１、段階３の場合は再送回数２、段階４の場合は再送回数３、段階５の場合は再送回数４と決定する。
【００５３】
基地局装置２００は、決定した再送回数の再送パターンから、無線リソースの割り当て状況や、データ送信における遅延条件に基づき、使用する再送パターンを決定する（Ｓ１０１−２）。
【００５４】
図８は、再送パターンテーブルの例を示す図である。再送パターンテーブルは、例えば、「再送パターン番号」、「再送回数」、「再送回数（内訳）」、「再送の特徴（再送回数ごと）」の情報要素を記憶するテーブルである。
【００５５】
「再送パターン番号」は、再送パターンの番号を示す。再送パターンは、例えば、再送パターン０〜９の１０パターンが存在する。例えば、再送パターン０は、再送回数が０回であり、再送を行わない再送パターンである。また、例えば、再送パターン９は、再送回数が３であり、データ再送を３回（１回目の送信を含めると４回）実行する再送パターンである。
【００５６】
「再送回数（内訳）」は、データを再送する信号の周波数帯域及び時間（送信タイミング）に関する情報である。「同一時間異周波数」は、１回目の送信の信号と、同一の送信タイミング、異なる周波数帯域で再送する再送回数を示す。「異時間同一周波数」は、１回目の送信の信号と、異なる送信タイミング、同一の周波数帯域で再送する再送回数を示す。「異時間異周波数」は、１回目の送信の信号と、異なる送信タイミング、異なる周波数帯域で再送する再送回数を示す。
【００５７】
「再送の特徴（送信回数ごと）」は、データを再送する信号の特徴を、再送回数ごとに示す情報である。「再送の特徴（送信回数ごと）」は、例えば、１回目の信号のとの周波数帯域や送信タイミングの差異を示す。また、「再送の特徴（送信回数ごと）」は、例えば、周波数帯域が連続しない２つの信号に分割することなどを示す。
【００５８】
図９は、送信タイミングと周波数帯域を変更して再送する再送パターンの例を示す図である。以降、Ｎ（Ｎは整数）回目の再送をＮ＋１回目の送信と表現する。例えば、再送を２回行う再送パターンでは、合計３回の送信が行われる。
【００５９】
図９（Ａ）は、再送パターン０の例を示す図である。基地局装置２００は、再送パターン０において、再送を行わず、信号ＳＧ０１で、１回目の送信を行う。
【００６０】
図９（Ｂ）は、再送パターン１の例を示す図である。基地局装置２００は、再送パターン１において、信号ＳＧ１１で、１回目の送信を行う。信号ＳＧ１１は、再送パターンに関する情報が含まれるＰＤＣＣＨを有する。なお、他の再送パターンにおいても、１回目に送信する信号に、再送パターンに関する情報（例えば、再送パターン番号）が含まれるＰＤＣＣＨが送信される。そして、基地局装置２００は、信号ＳＧ１１と時間的に連続し、信号ＳＧ１１より周波数帯域がＦＢだけ低い周波数帯域を使用した信号ＳＧ１２に再送データを含め、２回目のデータ送信を行う。
【００６１】
図９（Ｃ）は、再送パターン３の例を示す図である。基地局装置２００は、再送パターン３において、信号ＳＧ３１で、１回目の送信を行う。そして、基地局装置２００は、信号ＳＧ３１と時間的に連続し、信号Ｓ３１より周波数帯域がＦＢだけ低い周波数帯域を使用した信号ＳＧ３２に再送データを含め、２回目のデータ送信を行う。さらに、基地局装置２００は、信号ＳＧ３２と時間的に連続し、信号ＳＧ３２より周波数帯域がＦＢだけ低い周波数帯域を使用した信号ＳＧ３３に再送データを含め、３回目のデータ送信を行う。
【００６２】
図９（Ｄ）は、再送パターン５の例を示す図である。基地局装置２００は、再送パターン５において、信号ＳＧ５１で、１回目の送信を行う。そして、基地局装置２００は、信号ＳＧ５１と時間的に連続し、信号ＳＧ５１より周波数帯域がＦＢだけ低い周波数帯域を使用した信号ＳＧ５２に再送データを含め、２回目のデータ送信を行う。さらに、基地局装置２００は、信号ＳＧ５２と時間的に連続し、信号ＳＧ５２より周波数帯域がＦＢだけ低い周波数帯域を使用した信号ＳＧ５３に再送データを含め、３回目のデータ送信を行う。さらに、基地局装置２００は、信号ＳＧ５３と時間的に連続し、信号ＳＧ５３より周波数帯域がＦＢだけ低い周波数帯域を使用した信号ＳＧ５４に再送データを含め、４回目のデータ送信を行う。ただし、図９（Ｄ）に示すように、信号ＳＧ５４の周波数帯域が、割り当て可能な無線リソースの下限を超える場合、例えば、割り当て可能な無線リソースの最上位の周波数帯域から、下限を超える分の周波数帯域を割り当て、２つの周波数帯域に分割して送信する。
【００６３】
図１０は、同一送信タイミングに周波数帯域を変更して再送する再送パターンの例を示す図である。図１０（Ａ）は、再送パターン２の例を示す図である。基地局装置２００は、再送パターン２において、信号ＳＧ２１で、１回目の送信を行う。そして、基地局装置２００は、信号ＳＧ２１と同一の送信タイミングで、信号ＳＧ２１より周波数帯域がＦＡだけ低い周波数帯域を使用した信号ＳＧ２２に再送データを含め、２回目のデータ送信を行う。
【００６４】
図１０（Ｂ）は、再送パターン７の例を示す図である。基地局装置２００は、再送パターン７において、信号ＳＧ７１で、１回目の送信を行う。そして、基地局装置２００は、信号ＳＧ７１と同一送信タイミングで、信号ＳＧ７１より周波数帯域がＦＡだけ低い周波数帯域を使用した信号ＳＧ７２に再送データを含め、２回目のデータ送信を行う。さらに、基地局装置２００は、信号ＳＧ７１と時間的に連続し、信号ＳＧ７１と同一の周波数帯域を使用した信号ＳＧ７３に再送データを含め、３回目のデータ送信を行う。さらに、基地局装置２００は、信号ＳＧ７２と時間的に連続し、信号ＳＧ７２と同一の周波数帯域を使用した信号ＳＧ７４に再送データを含め、４回目のデータ送信を行う。
【００６５】
図１０（Ｃ）は、再送パターン８の例を示す図である。基地局装置２００は、再送パターン８において、信号ＳＧ８１で、１回目の送信を行う。そして、基地局装置２００は、信号ＳＧ８１と同一送信タイミングで、信号ＳＧ８１より周波数帯域がＦＡだけ低い周波数帯域を使用した信号ＳＧ８２に再送データを含め、２回目のデータ送信を行う。さらに、基地局装置２００は、信号ＳＧ８１より第１時間後であって、信号ＳＧ８１と同一の周波数帯域を使用した信号ＳＧ８３に再送データを含め、３回目のデータ送信を行う。さらに、基地局装置２００は、信号ＳＧ８２より第１時間後であって、信号ＳＧ８２と同一の周波数帯域を使用した信号ＳＧ８４に再送データを含め、４回目のデータ送信を行う。第１時間は、例えば、ＰＤＳＣＨを１回送信する時間、または１スロットの時間である。
【００６６】
図１１は、その他の再送パターンの例を示す図である。図１１（Ａ）は、再送パターン４の例を示す図である。基地局装置２００は、再送パターン４において、信号ＳＧ４１で、１回目の送信を行う。そして、基地局装置２００は、信号ＳＧ４１と同一送信タイミングで、信号ＳＧ４１より周波数帯域がＦＡだけ低い周波数帯域を使用した信号ＳＧ４２に再送データを含め、２回目のデータ送信を行う。さらに、基地局装置２００は、信号ＳＧ４１と時間的に連続し、信号ＳＧ４１より周波数帯域がＦＢだけ低い周波数帯域を使用した信号ＳＧ４３に再送データを含め、３回目のデータ送信を行う。
【００６７】
図１１（Ｂ）は、再送パターン６の例を示す図である。再送パターン６は、再送パターン５の３回目の送信時間（送信開始時間）が、２回目の送信から時間的に連続せず、第１時間後に送信される再送パターンである。基地局装置２００は、再送パターン６において、信号ＳＧ６１で、１回目の送信を行う。そして、基地局装置２００は、信号ＳＧ６１と時間的に連続し、信号ＳＧ６１より周波数帯域がＦＢだけ低い周波数帯域を使用した信号ＳＧ６２に再送データを含め、２回目のデータ送信を行う。さらに、基地局装置２００は、信号ＳＧ６２より第１時間後で、信号ＳＧ６２より周波数帯域がＦＢだけ低い周波数帯域を使用した信号ＳＧ６３に再送データを含め、３回目のデータ送信を行う。さらに、基地局装置２００は、信号ＳＧ６３と時間的に連続し、信号ＳＧ６３より周波数帯域がＦＢだけ低い周波数帯域を使用した信号ＳＧ６４に再送データを含め、４回目のデータ送信を行う。信号ＳＧ６４の周波数帯域が、割り当て可能な無線リソースの下限を超える場合、例えば、割り当て可能な無線リソースの最上位の周波数帯域から、下限を超える分の周波数帯域を割り当て、２つの周波数帯域に分割して送信する。
【００６８】
図１１（Ｃ）は、再送パターン９の例を示す図である。再送パターン９は、再送パターン８の３回目の送信を、時間的に連続した異なる周波数の２つの信号に分割して送信する再送パターンである。基地局装置２００は、再送パターン９において、信号ＳＧ９１で、１回目の送信を行う。そして、基地局装置２００は、信号ＳＧ９１と同一送信タイミングで、信号ＳＧ９１より周波数帯域がＦＡだけ低い周波数帯域を使用した信号ＳＧ９２に再送データを含め、２回目のデータ送信を行う。さらに、基地局装置２００は、信号ＳＧ９１と時間的に連続し、信号ＳＧ９１と同一の周波数帯域の一部（図１１においては上位半分）を使用した信号ＳＧ９３−１と、信号Ｓ９３−１と時間的に連続し、信号Ｓ９１と同一の周波数帯域の一部であって、信号Ｓ９３−１で使用していない周波数帯域の信号Ｓ９３−２を使用して、３回目の送信を行う。さらに、基地局装置２００は、信号ＳＧ９２より第１時間間後であって、信号ＳＧ９２と同一の周波数帯域を使用した信号ＳＧ９４に再送データを含め、４回目のデータ送信を行う。
【００６９】
なお、例えば、再送パターン１、３、５、及び６において、１回目の送信及び再送について、連続した周波数帯域を用いて送信しているが、非連続の複数の周波数帯域を用いて送信してもよい。また、再送における周波数帯域は、１回目の送信における周波数帯域より高い周波数帯域であってもよい。
【００７０】
図７に戻り、基地局装置２００における再送パターンの決定方法の例を、図８〜図１１の再送パターンを用いて説明する。
【００７１】
基地局装置２００は、処理Ｓ１０１−１において、例えば、再送回数を１回と決定する。基地局装置２００は、再送回数１回の再送パターン１及び再送パターン２を、使用する再送パターンの候補と決定する。
【００７２】
基地局装置２００は、処理Ｓ１０１−２において、無線リソースの状況を確認する。無線リソースの状況は、例えば、他の端末装置１００−２が使用する無線リソースを示す。基地局装置２００は、再送する信号の無線リソースと、他の端末装置１００−２が使用することが決まっている、あるいは使用する可能性がある無線リソースとの、一部又は全部が重複している再送パターンを除外する。ここで、基地局装置２００は、除外されない再送パターンが１つ残った場合、残った再送パターンを、使用する再送パターンと決定する。
【００７３】
また、基地局装置２００は、再送が最も早期に終了する再送パターンを、使用する再送パターンと決定してもよい。再送が最も早期に終了するということは、端末装置１００が再送データでデータを取得する場合、データ送信の遅延時間が短時間となる。基地局装置２００は、例えば、再送パターン１と再送パターン２を比較し、早期に再送が終了する再送パターン２を、使用する再送パターンとして決定する。
【００７４】
さらに、基地局装置２００は、送信するデータの遅延条件に基づいて、使用する再送パターンを決定してもよい。遅延条件は、例えば、１回目のデータ送信から当該データを端末装置１００が正しく受信するまでに許容される遅延時間である。また、遅延条件は、例えば、データが基地局装置２００に到達してから、当該データを正しく端末装置１００が受信するまでに許容される時間である。
【００７５】
遅延条件は、例えば、送信するデータの緊急性や、無線通信システム１０の要求条件として定義される。基地局装置２００は、最後に再送したデータを端末装置１００が受信すると仮定したとき、遅延条件を満たすか否かを判定する。そして、基地局装置２００は、遅延条件を満たす再送パターンを、使用する再送パターンとして決定する。
【００７６】
基地局装置２００は、上述した無線リソースの状況による選択、再送終了までの時間による選択、及び遅延条件による選択の、２つ又は全ての選択を組み合わせてもよい。また、基地局装置２００は、これらの３つの選択それぞれに、優先順位をつけて再送パターンを決定してもよい。
【００７７】
図６のシーケンスに戻り、基地局装置２００は、端末装置１００−１にデータを送信する契機が発生すると、１回目のデータ送信を行う（Ｓ１０２）。基地局装置は、１回目のデータ送信において、制御信号（例えば、ＰＤＣＣＨ）を送信する。ＰＤＣＣＨは、例えば、再送パターン番号を含む再送パターン情報が含まれる。また、再送パターン情報は、例えば、各再送パターンで使用するＦＡ、ＦＢの値や、所定時間（再送が時間的に連続しない場合の時間間隔）を含んでもよい。また、基地局装置２００は、端末装置１００−１に送信するデータを、データ信号（例えば、ＰＤＳＣＨ）に含め、データを送信する。
【００７８】
端末装置１００は、ＰＤＣＣＨを受信すると、再送パターン取得処理を行う（Ｓ１０３）。再送パターン取得処理は、ＰＤＣＣＨから再送パターン情報を取り出し、基地局装置２００が決定した再送パターンで再送データを受信する処理である。なお、端末装置１００は、データをエラーなく受信した場合、ＡＣＫを基地局装置２００に送信し、以降の再送データの受信を行わなくてもよい。
【００７９】
基地局装置２００は、決定した再送パターンでデータを再送する（Ｓ１０４）。基地局装置２００は、再送するデータはＰＤＳＣＨで送信し、ＰＤＣＣＨは送信しない。なお、基地局装置２００は、データを再送する前にＡＣＫを受信した場合、データの再送を行わなくてもよい。
【００８０】
第１の実施の形態において、基地局装置２００は、ＮＡＣＫを受信しなくても、端末装置１００にデータを再送する。これにより、基地局装置２００は、ＮＡＣＫの受信を待たずに再送を行い、早期にデータを再送することができるため、データ送信の遅延が抑制できる。
【００８１】
また、１回目のデータ送信時に再送パターンを含むＰＤＣＣＨを送信し、再送データ送信時にはＰＤＣＣＨを送信しないことで、端末装置１００において再送ごとにＰＤＣＣＨを受信するというオーバーヘッドが軽減できる。
【００８２】
さらに、基地局装置２００は、端末装置１００との伝搬路における測定結果や、他の端末装置１００に対して割り当てた無線リソースに基づいて再送パターンを決定するため、再送データが端末装置にエラーなく到達する可能性がより高い再送パターンを決定することができる。
【００８３】
［第２の実施の形態］
例えば、ＰＤＣＣＨで送信できる情報の容量が少なかったり、ＰＤＣＣＨで送信すべき情報が決まっており、他の情報を含めることができる容量が少なかったりする場合、ＰＤＣＣＨに含める再送パターン情報は、なるべく少ない容量とすることが好ましい。そこで、第２の実施の形態では、基地局装置２００は、無線ネットワークを制御するＲＲＣ（Radio Resource Control）メッセージに、再送パターン情報の一部又は全部を含め、端末装置１００に送信する。
【００８４】
＜新再送方式におけるデータ再送処理＞
図１２は、新再送方式におけるデータ再送処理のシーケンスの例を示す図である。端末装置１００−１は、測定結果を含む伝搬路測定結果報告を基地局装置２００に送信する（Ｓ２００）。
【００８５】
基地局装置２００は、伝搬路測定結果を受信すると、再送パターン候補選択処理を行う（Ｓ２０１）。再送パターン候補選択処理Ｓ２０１は、端末装置１００−１との間で使用する再送パターンの候補を１又は複数選択する処理であり、例えば、図７の処理１０１−１と同様に、再送回数を決定し、決定した再送回数の再送パターンを、使用する再送パターンの候補として選択する。
【００８６】
基地局装置２００は、選択した再送パターンを含む再送パターン通知を、ＲＲＣメッセージで端末装置１００−１に送信する（Ｓ２０２）。
【００８７】
端末装置１００−１は、再送パターン通知を受信すると、再送パターン制御処理を行う（Ｓ２０３）。
【００８８】
図１３は、再送パターン制御処理Ｓ２０３の処理フローチャートの例を示す図である。端末装置１００は、再送パターン通知から、再送パターンの候補を取得する（Ｓ２０３−１）。そして、端末装置１００は、再送パターンを含むＰＤＣＣＨを受信するのを待ち受ける（Ｓ２０３−２のＮｏ）。
【００８９】
端末装置１００は、ＰＤＣＣＨを受信すると（Ｓ２０３−２のＹｅｓ）、使用する再送パターンを取得する（Ｓ２０３−３）。そして、端末装置１００は、使用する再送パターンに従い、再送データを受信する（Ｓ２０３−４）。
【００９０】
図１２のシーケンスに戻り、基地局装置２００は、端末装置１００−１にデータを送信する契機が発生すると、再送パターン決定処理を行う（Ｓ２０４）。再送パターン決定処理Ｓ２０４は、再送パターンの候補から、使用する再送パターンを決定する処理であり、例えば、図７の処理１０１−２と同様の処理である。
【００９１】
基地局装置２００は、決定した再送パターンをＰＤＣＣＨに含め、データを端末装置１００−１に送信する（Ｓ２０５）。基地局装置２００は、端末装置１００−１に送信するデータを、データ信号（例えば、ＰＤＳＣＨ）に含め、データを送信する。
【００９２】
端末装置１００−１は、再送パターン制御処理Ｓ２０３において、ＰＤＣＣＨを受信すると、決定した再送パターンを取得する（図１３のＳ２０３−２）。そして、端末装置１００−１は、以降、決定した再送パターンに従い、再送データを受信する（図１３のＳ２０３−３）。
【００９３】
そして、基地局装置２００は、決定した再送パターンでデータを再送する（Ｓ２０６）。基地局装置２００は、再送において、ＰＤＣＣＨを送信しない。
【００９４】
なお、例えば、基地局装置２００が、ＰＤＣＣＨの１ビットを使用して、再送パターンを端末装置１００−１に通知する場合、以下のような処理となる。
【００９５】
基地局装置２００は、再送パターン通知において、再送パターンの候補を、例えば、再送パターン１及び２と通知する。そして、端末装置１００−１は、再送パターンの候補が再送パターン１及び２と認識する。
【００９６】
そして、基地局装置２００は、再送パターン決定処理Ｓ２０４で、再送パターン１を使用すると決定した場合、ＰＤＣＣＨの決定した再送パターンを示すビットを「０」とし、再送パターン２を使用すると決定した場合、当該ビットを「１」とする。
【００９７】
端末装置１００−１は、例えば、ビットが０の場合、候補となる再送パターンの再送パターン番号が小さいほうの再送パターン１と判定し、ビットが１の場合、候補となる再送パターンの再送パターン番号が大きいほうの再送パターン２と判定する。これにより、端末装置１００−１は、ＰＤＣＣＨで使用するビットが１ビットでも、決定した再送パターンを取得することができる。なお、基地局装置２００は、ＰＤＣＣＨで使用できるビット数が２ビットの場合は候補となる再送パターンの数が４つなど、ＰＤＣＣＨで使用できるビット数に応じて、候補となる再送パターンの数を決定してもよい。
【００９８】
第２の実施の形態では、ＲＲＣメッセージで、再送パターンの候補を送信することで、ＰＤＣＣＨにおける再送パターンに関する情報を示すビット数を少なくすることができる。
【００９９】
また、再送パターンテーブルは、例えば、ＭＣＳ（Modulation and Coding Scheme）や、送信ごとに使用する無線リソースの割り当て内容を組み合わせたテーブルであってもよい。基地局装置２００は、再送パターンとＭＣＳを組み合わせにおいて、再送回数が多い場合は低いＭＣＳが使用されることが想定されるため、例えば、再送回数が多い再送パターンと高いＭＣＳの組み合わせは除外する、あるいはメモリに記憶しないことにより、制御信号を削減してもよい。
【０１００】
［第３の実施の形態］
基地局装置２００は、例えば、上り（端末装置１００から基地局装置２００へ）の通信においても、再送を行うよう端末装置１００に指示してもよい。
【０１０１】
図１４は、新再送方式における、上り方向のデータ再送処理のシーケンスの例を示す図である。端末装置１００−１は、測定結果を含む伝搬路測定結果報告を基地局装置２００に送信する（Ｓ３００）。
【０１０２】
基地局装置２００は、伝搬路測定結果を受信すると、上り再送パターン候補選択処理を行う（Ｓ３０１）。上り再送パターン候補選択処理Ｓ３０１は、端末装置１００−１との間で使用する再送パターンの候補を１又は複数選択する処理であり、例えば、図７の処理１０１−１と同様に、再送回数を決定し、決定した再送回数の再送パターンを、使用する再送パターンの候補として選択する。
【０１０３】
図１４においては、基地局装置２００は、端末装置１００−１から伝搬路測定結果を受信している。端末装置１００−１では、下り方向の信号の電波状況を測定するため、基地局装置２００は、例えば、下り方向と上り方向での電波特性（例えば、干渉度合いなど）は、同等であると仮定して、上り方向の再送パターンの候補を選択する。なお、上り方向の電波状況は、基地局装置２００が測定してもよい。
【０１０４】
基地局装置２００は、選択した再送パターンを含む再送パターン通知を、ＲＲＣメッセージで端末装置１００−１に送信する（Ｓ３０２）。
【０１０５】
端末装置１００−１は、再送パターン通知を受信すると、上り再送パターン制御処理を行う（Ｓ３０３）。端末装置１００−１は、上り再送パターン制御処理Ｓ３０３において、上りにおける再送パターンの候補を取得する。
【０１０６】
基地局装置２００は、端末装置１００−１にデータを送信する契機が発生すると、上り再送パターン決定処理を行う（Ｓ３０４）。上り再送パターン決定処理Ｓ４０４は、再送パターンの候補から、使用する再送パターンを決定する処理であり、例えば、図７の処理１０１−２と同様の処理である。
【０１０７】
基地局装置２００は、決定した上りの再送パターンを含むＰＤＣＣＨを端末装置１００−１に送信する（Ｓ３０５）。端末装置１００−１は、上り再送パターン制御処理Ｓ３０３において、ＰＤＣＣＨを受信すると、決定した再送パターンを取得する。そして、端末装置１００−１は、以降、決定した再送パターンに従い、ＰＵＳＣＨ（Physical Uplink Shared Channel）を用いて、データ送信（Ｓ３０６）及びデータ再送（Ｓ３０７）を行う。
【０１０８】
第３の実施の形態において、基地局装置２００は、上り方向のデータ再送も制御することができる。
【０１０９】
［その他の実施の形態］
基地局装置２００は、例えば、データの送信ごとに、ＨＡＲＱ（Hybrid-ARQ（Automatic repeat request））で定義されるＲＶ（Redundancy Version）を変更してもよい。受信側において同じトランスポートブロックの異なるＲＶを合成することにより、より大きな利得を得ることができ、誤り率を低減することができる。
【符号の説明】
【０１１０】
１０          ：無線通信システム
１００        ：端末装置
１１０        ：ＣＰＵ
１２０        ：ストレージ
１２１        ：無線通信プログラム
１３０        ：メモリ
１５０        ：ＲＦ回路
１５１        ：アンテナ
２００        ：基地局装置
２１０        ：ＣＰＵ
２２０        ：ストレージ
２２１        ：無線通信制御プログラム
２２２        ：再送パターンテーブル
２３０        ：メモリ
２５０        ：ＲＦ回路
２５１        ：アンテナ
１２１１      ：再送パターン取得モジュール
１２１２      ：データ受信モジュール
２２１１      ：無線リソース管理モジュール
２２１２      ：再送パターン決定モジュール
２２１３      ：データ送信モジュール
【図１】
2019159274.tif 000003
【図２】
2019159274.tif 000004
【図３】
2019159274.tif 000005
【図４】
2019159274.tif 000006
【図５】
2019159274.tif 000007
【図６】
2019159274.tif 000008
【図７】
2019159274.tif 000009
【図８】
2019159274.tif 000010
【図９】
2019159274.tif 000011
【図１０】
2019159274.tif 000012
【図１１】
2019159274.tif 000013
【図１２】
2019159274.tif 000014
【図１３】
2019159274.tif 000015
【図１４】
2019159274.tif 000016
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
端末装置と、前記端末装置に無線リソースを割り当て、前記割り当てた無線リソースで前記端末装置と無線通信する基地局装置であって、
時間軸で連続な第１の再送パターンと、時間軸で非連続な第２の再送パターンを含む複数の再送パターンから、前記端末装置がデータを再送する再送パターンを決定する決定部と、
前記決定した再送パターンに関する再送パターン情報を含む、無線リソースの割り当て制御用の制御信号を前記端末装置に送信する送信部と、
前記再送パターンに応じて前記端末装置から送信された初回送信データと再送データとを受信する受信部とを有する
基地局装置。
【請求項２】
前記再送パターン情報は、前記再送する回数、及び前記再送データに使用する無線リソースに関する無線リソース情報を含む
請求項１記載の基地局装置。
【請求項３】
前記決定部は、無線通信状態に応じて前記再送パターンを決定し、
前記無線通信の通信状態は、前記端末装置が前記基地局装置から受信する信号に干渉が発生する度合いを示す干渉率を含み、
前記決定部は、前記干渉率が第１閾値以上のとき、前記再送する回数を第１回数と決定し、前記干渉率が前記第１閾値より大きい第２閾値以上のとき、前記再送する回数を前記第１回数より大きい第２回数と決定する
請求項２記載の基地局装置。
【請求項４】
前記無線リソース情報は、信号を送信する時間及び周波数帯域の両方、または少なくとも一方を有する
請求項２記載の基地局装置。
【請求項５】
前記再送パターンは、前記初回送信データと異なる周波数帯域を使用する前記再送データで、再送を行う再送パターンを含む
請求項４記載の基地局装置。
【請求項６】
前記再送パターンは、前記初回送信データと異なる時間で送信する前記再送データで、再送を行う再送パターンを含む
請求項４記載の基地局装置。
【請求項７】
前記再送パターンは、前記初回送信データと、異なる周波数帯域及び時間で送信する前記再送データで、再送を行う再送パターンを含む
請求項４記載の基地局装置。
【請求項８】
前記決定部は、無線通信状態に応じて前記再送パターンを決定し、
前記無線通信の通信状態は、前記データを送信する端末装置以外の他端末装置に割り当てた無線リソースに関する他端末情報を含み、
前記決定部は、前記他端末情報に基づき、前記他端末装置に割り当てた無線リソースを使用しない再送パターンを、前記端末装置にデータを再送する再送パターンと決定する
請求項２記載の基地局装置。
【請求項９】
前記決定部は、前記他端末装置に割り当てた無線リソースを使用しない再送パターンのうち、前記再送が最も早期に終了する再送パターンを、前記端末装置にデータを再送する再送パターンと決定する
請求項８記載の基地局装置。
【請求項１０】
前記決定部は、前記他端末装置に割り当てた無線リソースを使用しない再送パターンのうち、前記端末装置に送信するデータを前記端末装置が受信するまでに許容される遅延時間を満たす再送パターンを、前記端末装置にデータを再送する再送パターンと決定する
請求項８記載の基地局装置。
【請求項１１】
前記制御信号は、ＰＤＣＣＨ（Physical Downlink Control Channel）で送信され、
前記データは、ＰＤＳＣＨ（Physical Downlink Shared Channel）で送信される、
請求項１記載の基地局装置。
【請求項１２】
基地局装置が割り当てた無線リソースを使用し、前記基地局装置と無線通信する端末装置であって、
時間軸で連続な第１の再送パターンと、時間軸で非連続な第２の再送パターンを含む複数の再送パターンから、前記基地局装置が選択した再送パターンに関する再送パターン情報を含む、無線リソースの割り当て制御用の制御信号を受信する受信部と、
前記再送パターンに応じて、前記基地局装置に初回送信するデータ、及び再送するデータを送信する送信部と、を有する
端末装置。
【請求項１３】
時間軸で連続な第１の再送パターンと、時間軸で非連続な第２の再送パターンを含む複数の再送パターンから、端末装置がデータを再送する再送パターンを決定し、前記決定した再送パターンに関する再送パターン情報を含む、無線リソースの割り当て制御用の制御信号を送信する基地局装置と、
前記制御信号を受信し、前記再送パターンに応じて初回送信データと、再送データと、を前記基地局装置に送信する前記端末装置と
を有する無線通信システム。 
【国際調査報告】
2019159274.tif 000017
2019159274.tif 000018
2019159274.tif 000019
2019159274.tif 000020